(57)【要約】【課題】筐体のうち呼気を吹き掛けるべき部位を使用者に認識させ易い呼気センサを提供すること。【解決手段】呼気センサ１は、ガスセンサ素子１０と、これを内部に収容する筐体２０とを備える。この筐体２０は、筐体壁部２３の内外を貫通し、使用者の吹き掛けた呼気を筐体２０の内部に導入する単一の呼気導入孔３０を有する。そして、この呼気導入孔３０は、筐体壁部２３の厚み方向外側ＴＤの外側開口端縁３０ｄから延び、厚み方向内側ＴＣに向かうほど先細り形状となる単一の外側テーパ部３１を有し、外側開口端縁３０ｄが楕円状とされている。【選択図】図４
2015099093.tif 000002
【特許請求の範囲】
【請求項１】
呼気中の特定ガス成分を検知するガスセンサ素子と、
上記ガスセンサ素子を内部に収容する筐体と、を備え、
上記筐体は、
この筐体をなす筐体壁部の内外を貫通し、使用者の吹き掛けた呼気をこの筐体の内部に導入する単一の呼気導入孔を有する
呼気センサであって、
上記呼気導入孔は、
上記筐体壁部の厚み方向外側の外側開口端縁から延び、厚み方向内側に向かうほど先細り形状となる単一の外側テーパ部を有し、
上記外側開口端縁が楕円状とされてなる
呼気センサ。
【請求項２】
請求項１に記載の呼気センサであって、
前記筐体は、
使用者が呼気を前記呼気導入孔に向けて吹き掛ける上記呼気センサの使用時に、使用者に対面させる筐体前面を有し、かつ、
上記筐体前面のうち、上記呼気導入孔の前記外側開口端縁を囲む導入面が、この導入面の周囲に位置する周囲面よりも、前記厚み方向外側に位置する
形態を有する
呼気センサ。
【請求項３】
請求項１または請求項２に記載の呼気センサであって、
前記呼気導入孔の前記外側テーパ部は、
自身の前記厚み方向内側の開口端縁が、前記外側開口端縁と同じ第１方向に長い楕円状とされてなる
呼気センサ。
【請求項４】
請求項１〜請求項３のいずれか一項に記載の呼気センサであって、
前記筐体は、
直棒状をなし、その長手方向一方側に位置し、前記呼気導入孔を含む第１部と、この第１部よりも長手方向他方側に位置する第２部とからなり、
上記筐体の上記第１部及び上記第２部は、
上記筐体の上記呼気導入孔を使用者に正対させたときに、上記筐体のうち使用者に向いて使用者に視認される被視認面において、上記第１部と上記第２部とを区別し得る異なる色または模様とされてなる
呼気センサ。
【請求項５】
請求項４に記載の呼気センサであって、
前記被視認面において、
前記第２部は、前記第１部に比して暗色に、
上記第２部は、上記第１部に比して暗色の面積率が大きい模様に、または、
上記第１部は、上記第２部に比して明色の面積率が大きい模様にされてなる
呼気センサ。
【発明の詳細な説明】
【技術分野】
【０００１】
本発明は、呼気中の特定ガス成分を検知できる呼気センサに関する。
【背景技術】
【０００２】
従来より、呼気中の特定ガス成分（例えばエタノール）を検知できる呼気センサが知られている。この呼気センサは、呼気中の特定ガス成分を検知するガスセンサ素子を収容する筐体を有する。この筐体には、筐体壁部の内外を貫通し、使用者の吹き掛けた呼気を筐体の内部に導入する呼気導入孔が設けられる。例えば特許文献１に、このような呼気センサが開示されている（特許文献１の図４及びその説明箇所等を参照）。この特許文献１に記載のアルコール濃度検知器（呼気センサ）では、複数の同寸法のスリット（細長い呼気導入孔）を互いに平行に並べて、全体で矩形状とした測定口を筐体に設けている。
【先行技術文献】
【特許文献】
【０００３】
【特許文献１】特開２００５−１８４１８４号公報
【発明の概要】
【発明が解決しようとする課題】
【０００４】
しかしながら、このように呼気を導入する部位を矩形状としたり、或いは円形状とすると、使用者にとって、その部位が呼気を吹き掛ける部位であると認識し難く、筐体のどの部位に呼気を吹き掛ければよいのか迷う場合がある。
本発明は、かかる現状に鑑みてなされたものであって、筐体のうち呼気を吹き掛けるべき部位を使用者に認識させ易い呼気センサを提供することを目的とする。
【課題を解決するための手段】
【０００５】
上記課題を解決するための本発明の一態様は、呼気中の特定ガス成分を検知するガスセンサ素子と、上記ガスセンサ素子を内部に収容する筐体と、を備え、上記筐体は、この筐体をなす筐体壁部の内外を貫通し、使用者の吹き掛けた呼気をこの筐体の内部に導入する単一の呼気導入孔を有する呼気センサであって、上記呼気導入孔は、上記筐体壁部の厚み方向外側の外側開口端縁から延び、厚み方向内側に向かうほど先細り形状となる単一の外側テーパ部を有し、上記外側開口端縁が楕円状とされてなる呼気センサである。
【０００６】
この呼気センサでは、筐体に設ける呼気導入孔を複数ではなく単一にすると共に、この呼気導入孔の厚み方向外側を単一の外側テーパ部とした上で、呼気導入孔の外側開口端縁（外側テーパ部の厚み方向外側の開口端縁）を楕円状としている。この楕円状の外側開口端縁は、見た目が人間の唇の形状に似ているので、楕円状の外側開口端縁を有する呼気導入孔を、筐体のうち呼気を吹き掛けるべき部位であると、使用者に認識させ易い。
【０００７】
加えて、呼気導入孔に呼気を吹き掛けるにあたり、例えば呼気センサを持つなど、呼気センサの姿勢と使用者自身の姿勢とを調整して、楕円状をなす外側開口端縁の長径方向が使用者自身の唇の両端を結ぶ方向と一致する姿勢に、呼気センサを配置すべきことも、使用者に理解させ易い。
更に、呼気導入孔のうち厚み方向外側の部位に、外側開口端縁が楕円状で厚み方向内側に向けて先細りの外側テーパ部を設けたことで、この外側テーパ部に向けて使用者の吹き掛けた呼気を、呼気導入孔内にスムースに受け入れ、筐体の内部に導くことができる。
【０００８】
なお、「呼気センサ」としては、例えば、呼気中のアルコール（エタノール）を検出するセンサ、呼気中のアセトンを検出するセンサ、呼気中の口臭を生じさせる特定ガス成分を検出するセンサなどが挙げられる。
「筐体」は、前述のように、ガスセンサ素子を内部に収容するものであり、その外形としては、四角柱状（直方体状）や楕円柱状などが挙げられる。また、「筐体」は、樹脂製としてもよいし、金属製としてもよい。
【０００９】
「呼気導入孔」は、前述のように、筐体壁部の内外を貫通し、使用者の吹き掛けた呼気を筐体の内部に導入する孔であり、その形成位置は特に限定されない。例えば、筐体の外形を四角柱状としたとき、「呼気導入孔」は、その６面（６つの筐体壁部）のいずれの面に形成してもよい。また、「呼気導入孔」を通じて、通気を可能としつつ液滴が筐体内部に侵入するのを防止すべく、例えば「呼気導入孔」を厚み方向内側から閉塞する形態で、通気が可能で液滴の通過を阻止するフィルタを配置すると良い。
【００１０】
「呼気導入孔」の形態としては、例えば、以下の（Ａ），（Ｂ）の２形態が挙げられる。
（Ａ）楕円状の外側開口端縁を有する「外側テーパ部」が、呼気導入孔の全部を占める形態。後述する変形形態４，５の呼気導入孔１４０，１５０がこれに該当する（図１２〜図１５参照）。この形態では、「外側テーパ部」の厚み方向外側の開口端縁が、呼気導入孔の外側開口端縁に一致し、かつ、「外側テーパ部」の厚み方向内側の開口端縁が、呼気導入孔の内側開口端縁に一致する。
【００１１】
（Ｂ）楕円状の外側開口端縁を有する「外側テーパ部」が、呼気導入孔のうち、厚み方向の一部のみを占め、この「外側テーパ部」よりも厚み方向内側には、これに続いて、更に別形態の部位（以下、この部位を「内側導入部」とも言う）が存在する形態。この形態では、「外側テーパ部」の外側開口端縁は、呼気導入孔の外側開口端縁に一致するが、「外側テーパ部」の内側の開口端縁は、呼気導入孔の内側開口端縁に一致せず、内側開口端縁よりも厚み方向外側に位置する。
【００１２】
更に、（Ｂ）の形態としては、例えば（Ｂ−１）〜（Ｂ−３）の３形態が挙げられる。
（Ｂ−１）「内側導入部」の外側の開口端縁が、「外側テーパ部」の内側の開口端縁と同形状で、かつ、「内側導入部」が、厚み方向に断面同形状（例えば円柱孔や楕円柱孔など）の形態。後述する変形形態６の呼気導入孔１６０がこれに該当する（図１６及び図１７参照）。
【００１３】
（Ｂ−２）「内側導入部」の外側の開口端縁が、「外側テーパ部」の内側の開口端縁と異なる形状（このため、「内側導入部」と「外側テーパ部」との間に段部が生じる）で、かつ、「内側導入部」が、厚み方向に断面同形状（例えば、１つの円柱孔、１つの楕円柱孔、複数の小円柱孔からなる孔、複数の小楕円柱孔からなる孔など）の形態。後述する変形形態３，７の呼気導入孔１３０，１７０がこれに該当する（図１０，図１１，図１８及び図１９参照）。
【００１４】
（Ｂ−３）「内側導入部」の形状が、厚み方向に変化している形態。後述する実施形態及び変形形態２，８の呼気導入孔３０，１２０，１８０がこれに該当する（図４，図５，図８，図９，図２０及び図２１参照）。
例えば、「内側導入部」が、厚み方向内側に向けて拡径する形態、外側テーパ部とは角度の異なる傾斜で縮径する形態（このため、「内側導入部」と「外側テーパ部」との境界に角度変化による形状線が現れる）、厚み方向内側に向けて拡径または縮径する複数の小孔からなる形態などが挙げられる。
【００１５】
また、「内側導入部」のうち、「外側テーパ部」に続く厚み方向外側の一部と、これよりも厚み方向内側の他部とが異なる形態とした呼気導入孔も挙げられる。この場合、「内側導入部」のうち「厚み方向外側の一部」の形態としては、厚み方向に断面同形状（例えば、１つの円柱孔または楕円柱孔、複数の小円柱孔または小楕円柱孔からなる孔など）の形態、または、厚み方向に形状が変化している形態（厚み方向内側に向けて拡径または縮径する孔、厚み方向内側に向けて拡径または縮径する複数の小孔からなる孔）としたものが挙げられる。また、「内側導入部」のうち「厚み方向内側の他部」の形態としては、厚み方向外側の一部とは異なる形態で、厚み方向に断面同形状（例えば、１つの円柱孔または楕円柱孔、複数の小円柱孔または小楕円柱孔からなる孔など）の形態、または、厚み方向に形状が変化している形態（厚み方向内側に向けて拡径または縮径する孔、厚み方向内側に向けて拡径または縮径する複数の小孔からなる孔）としたものが挙げられる。
【００１６】
以上の説明からも判るように、本発明においては、外側テーパ部が単一であれば、内側導入部が、単一の孔であっても、複数の小孔に分岐していても、また、複数の小孔に分岐した後に単一の孔に合体していても、いずれの場合も、呼気導入孔は単一であるとして扱うこととする。
【００１７】
更に、上記の呼気センサであって、前記筐体は、使用者が呼気を前記呼気導入孔に向けて吹き掛ける上記呼気センサの使用時に、使用者に対面させる筐体前面を有し、かつ、上記筐体前面のうち、上記呼気導入孔の前記外側開口端縁を囲む導入面が、この導入面の周囲に位置する周囲面よりも、前記厚み方向外側に位置する形態を有する呼気センサとすると良い。
【００１８】
この呼気センサでは、呼気導入孔が設けられた筐体前面のうち、呼気導入孔の外側開口端縁を囲む導入面が、その周囲の周囲面よりも、厚み方向外側に位置している。このため、この呼気導入孔が、その周囲よりも目立って見えるので、この呼気導入孔が筐体のうち呼気を吹き掛ける部位であることを、より一層、使用者に認識させ易い。
【００１９】
更に、上記のいずれかに記載の呼気センサであって、前記呼気導入孔の前記外側テーパ部は、自身の前記厚み方向内側の開口端縁が、前記外側開口端縁と同じ第１方向に長い楕円状とされてなる呼気センサとすると良い。
【００２０】
この呼気センサでは、外側テーパ部の内側の開口端縁も、外側開口端縁と同じ第１方向に長い楕円状としている。このため、この外側テーパ部の見た目が、更に人間の唇に似る。従って、この部位が筐体のうち呼気を吹き掛ける部位であることを、更に使用者に認識させ易い。
【００２１】
更に、上記のいずれかに記載の呼気センサであって、前記筐体は、直棒状をなし、その長手方向一方側に位置し、前記呼気導入孔を含む第１部と、この第１部よりも長手方向他方側に位置する第２部とからなり、上記筐体の上記第１部及び上記第２部は、上記筐体の上記呼気導入孔を使用者に正対させたときに、上記筐体のうち使用者に向いて使用者に視認される被視認面において、上記第１部と上記第２部とを区別し得る異なる色または模様とされてなる呼気センサとすると良い。
【００２２】
被視認面の色或いは模様をこのように構成しておくことで、筐体が直棒状であるにも拘わらず、使用者が呼気センサを使用するに際し、呼気導入孔に正対した状態で、第２部と第１部とを区別でき、更にはこの第１部に含まれる呼気導入孔を認識し易い。
なお、「被視認面」としては、例えば、筐体の外形が四角柱状で、長手方向に長い４つの側面のいずれかに呼気導入孔を設けた場合には、呼気導入孔が設けられた（使用者に正対する）筐体前面が該当する。
【００２３】
更に、上記の呼気センサであって、前記被視認面において、前記第２部は、前記第１部に比して暗色に、上記第２部は、上記第１部に比して暗色の面積率が大きい模様に、または、上記第１部は、上記第２部に比して明色の面積率が大きい模様にされてなる呼気センサとすると良い。
【００２４】
被視認面の色或いは模様をこのように構成しておくことで、筐体が、実際には直棒状であり、長手方向について横断面の形状が変化しない、或いは殆ど変化しないにも拘わらず、被視認面を視認した使用者には、第２部が第１部よりも細く見える。これにより、呼気センサの使用に際し使用者に筐体を把持させるにあたり、使用者が細く見える第２部を把持するように誘導できる。
【図面の簡単な説明】
【００２５】
【図１】実施形態に係る呼気センサの正面図である。
【図２】実施形態に係る呼気センサの左側面図である。
【図３】実施形態に係る呼気センサの縦断面図（図１におけるＡ−Ａ矢視断面図）である。
【図４】実施形態に係り、呼気導入孔近傍を拡大して示す拡大正面図である。
【図５】実施形態に係り、呼気導入孔近傍を拡大して示す拡大断面図（図４におけるＢ−Ｂ矢視断面図）である。
【図６】変形形態１に係り、呼気導入孔近傍を拡大して示す拡大正面図である。
【図７】変形形態１に係り、呼気導入孔近傍を拡大して示す拡大断面図（図６におけるＣ−Ｃ矢視断面図）である。
【図８】変形形態２に係り、呼気導入孔近傍を拡大して示す拡大正面図である。
【図９】変形形態２に係り、呼気導入孔近傍を拡大して示す拡大断面図（図８におけるＤ−Ｄ矢視断面図）である。
【図１０】変形形態３に係り、呼気導入孔近傍を拡大して示す拡大正面図である。
【図１１】変形形態３に係り、呼気導入孔近傍を拡大して示す拡大断面図（図１０におけるＥ−Ｅ矢視断面図）である。
【図１２】変形形態４に係り、呼気導入孔近傍を拡大して示す拡大正面図である。
【図１３】変形形態４に係り、呼気導入孔近傍を拡大して示す拡大断面図（図１２におけるＦ−Ｆ矢視断面図）である。
【図１４】変形形態５に係り、呼気導入孔近傍を拡大して示す拡大正面図である。
【図１５】変形形態５に係り、呼気導入孔近傍を拡大して示す拡大断面図（図１４におけるＧ−Ｇ矢視断面図）である。
【図１６】変形形態６に係り、呼気導入孔近傍を拡大して示す拡大正面図である。
【図１７】変形形態６に係り、呼気導入孔近傍を拡大して示す拡大断面図（図１６におけるＨ−Ｈ矢視断面図）である。
【図１８】変形形態７に係り、呼気導入孔近傍を拡大して示す拡大正面図である。
【図１９】変形形態７に係り、呼気導入孔近傍を拡大して示す拡大断面図（図１８におけるＩ−Ｉ矢視断面図）である。
【図２０】変形形態８に係り、呼気導入孔近傍を拡大して示す拡大正面図である。
【図２１】変形形態８に係り、呼気導入孔近傍を拡大して示す拡大断面図（図２０におけるＪ−Ｊ矢視断面図）である。
【図２２】変形形態９に係る呼気センサの正面図である。
【図２３】変形形態１０に係る呼気センサの正面図である。
【図２４】変形形態１１に係る呼気センサの正面図である。
【発明を実施するための形態】
【００２６】
以下、本発明の実施の形態を、図面を参照しつつ説明する。図１〜図３に、本実施形態に係る呼気センサ１を示す。なお、図１〜図３における上下方向を呼気センサ１の高さ方向ＨＪとし、図１〜図３における上側を高さ方向上側ＨＡ、図１〜図３における下側を高さ方向下側ＨＢとする。また、図１における左右方向を呼気センサ１の幅方向ＷＪとし、図１における右側を幅方向右側ＷＥ、図１における左側を幅方向左側ＷＦとする。また、図２及び図３における左右方向を呼気センサ１の奥行き方向ＤＪとする。この呼気センサ１は、手軽に持ち運びが可能で、呼気中の特定ガス成分（具体的にはエタノール）を検知できる携帯用アルコールセンサである。この呼気センサ１は、ガスセンサ素子１０、配線基板１１、ケーブル１３、フィルタ１５、筐体２０等から構成されている。
【００２７】
このうちガスセンサ素子１０は、呼気中のエタノールを検知する素子である。このガスセンサ素子１０は、筐体２０内のうち、後述する呼気導入孔３０及びフィルタ１５に対向する部位に配置されている。
配線基板１１は、矩形板状を有し、自身の主面上にガスセンサ素子１０のほか、図示しない回路部品を搭載している。この配線基板１１は、後述する筐体２０の前側筐体壁部２３及び後側筐体壁部２４に平行な形態で筐体２０内に保持されている。
【００２８】
ケーブル１３は、この呼気センサ１（配線基板１１）を外部の機器（例えばスマートフォンやパソコン）と接続するためのＵＳＢケーブルであり、配線基板１１に接続されている。
フィルタ１５は、通気が可能である一方、液滴の通過を阻止する機能を有する樹脂材料からなる。このフィルタ１５は、後述する呼気導入孔３０を厚み方向内側ＴＣから閉塞する形態で筐体２０内に配置されており、呼気導入孔３０とガスセンサ素子１０との間に介在する。
【００２９】
次に、筐体２０について説明する。この筐体２０は、樹脂からなり、直棒状（具体的には直方体状）をなし、６つの筐体壁部、即ち、高さ方向上側ＨＡに位置する上側筐体壁部２１と、高さ方向下側ＨＢに位置する下側筐体壁部２２と、奥行き方向ＤＪの前側に位置する前側筐体壁部２３と、奥行き方向ＤＪの後側に位置する後側筐体壁部２４と、幅方向右側ＷＥに位置する右側筐体壁部２５と、幅方向左側ＷＦに位置する左側筐体壁部２６を有する。
【００３０】
このうち前側筐体壁部２３には、この前側筐体壁部２３の厚み方向外側ＴＤの外側開口端縁３０ｄから厚み方向内側ＴＣの内側開口端縁３０ｃまで延びる単一の呼気導入孔３０が、前側筐体壁部２３の内外を貫通する形態で設けられている（図４及び図５も参照）。この呼気導入孔３０は、使用者の吹き掛けた呼気を筐体２０の内部に導入する孔である。この呼気導入孔３０は、本実施形態では、厚み方向外側ＴＤに位置する単一の外側テーパ部３１と、これに続いて厚み方向内側ＴＣに位置する単一の内側導入部３３とから構成されている。この呼気導入孔３０の形態は、前述の（Ｂ−３）の形態に属する。
【００３１】
呼気導入孔３０のうち外側テーパ部３１は、呼気導入孔３０の外側開口端縁３０ｄと一致する厚み方向外側ＴＤの開口端縁３１ｄから、厚み方向内側ＴＣの開口端縁３１ｃまで延び、厚み方向内側ＴＣに向かうほど先細りとなる楕円錐台状を有する。
この外側テーパ部３１の厚み方向外側ＴＤの開口端縁３１ｄ（呼気導入孔３０の外側開口端縁３０ｄ）は、幅方向ＷＪ（長径方向、前述の第１方向に相当する）に長い楕円状とされている。具体的には、開口端縁３１ｄ（外側開口端縁３０ｄ）は、幅方向ＷＪの長径ａがａ＝１４．０ｍｍ、これに直交する短径ｂがｂ＝１０．０ｍｍの楕円状である。従って、長径ａと短径ｂの長短比ａ／ｂは、ａ／ｂ＝１．４であり、１．２〜３．０の範囲内に含まれる。
一方、外側テーパ部３１の厚み方向内側ＴＣの開口端縁３１ｃは、短径ｂよりも小さい円形状とされ、厚み方向外側ＴＤの開口端縁３１ｄの中心と厚み方向内側ＴＣの開口端縁３１ｃの中心とは、厚み方向ＴＪに重なる。
【００３２】
一方、内側導入部３３は、外側テーパ部３１に続いて、厚み方向内側ＴＣに位置する。この内側導入部３３は、第１内側導入部３４と第２内側導入部３５を有する。
このうち第１内側導入部３４は、外側テーパ部３１に続いて、厚み方向外側ＴＤの開口端縁３４ｄから厚み方向内側ＴＣの開口端縁３４ｃまで延び、厚み方向内側ＴＣに向かうほど先細りとなる楕円錐台状の３つの小孔から構成されている。このため、外側テーパ部３１と第１内側導入部３４との間には、段部３２が生じている。厚み方向外側ＴＤの開口端縁３４ｄは、３つの楕円からなる形状である。また、厚み方向内側ＴＣの開口端縁３４ｃは、厚み方向外側ＴＤの開口端縁３４ｄの各楕円よりも長径及び短径がそれぞれ小さい３つの楕円からなる形状である。
【００３３】
第２内側導入部３５は、第１内側導入部３４に続いて、厚み方向外側ＴＤの開口端縁３５ｄから、呼気導入孔３０の内側開口端縁３０ｃと一致する厚み方向内側ＴＣの開口端縁３５ｃまで延び、厚み方向ＴＪに断面同形状の１つの円柱孔からなる。このため、第１内側導入部３４と第２内側導入部３５との間には、段部３６が生じている。また、開口端縁３５ｄ及び開口端縁３５ｃ（内側開口端縁３０ｃ）は、それぞれ同径の円形状である。この第２内側導入部３５は、前述の外側テーパ部３１と同軸に配置されている。
なお、図５においては図示しないが、フィルタ１５が、呼気導入孔３０の内側開口端縁３０ｃ（開口端縁３５ｃ）を閉塞する形態で前側筐体壁部２３の内側面２３ｎに貼り付けられている（図３参照）。
【００３４】
呼気導入孔３０が設けられた前側筐体壁部２３は、使用者が呼気を呼気導入孔３０に向けて吹き掛ける呼気センサ１の使用時に、使用者に対面する筐体前面２３ｍをなしている。更に、本実施形態では、この筐体前面２３ｍは、筐体２０の呼気導入孔３０を使用者に正対させたときに、筐体２０のうち使用者に向いて使用者に視認される被視認面でもある。そして、この筐体前面２３ｍのうち、呼気導入孔３０の外側開口端縁３０ｄを囲む導入面２３ｍ１は、この導入面２３ｍ１の周囲に位置する周囲面２３ｍ２よりも、厚み方向外側ＴＤに位置する。即ち、導入面２３ｍ１は、周囲面２３ｍ２よりも厚み方向外側ＴＤに突出している。
【００３５】
なお、筐体２０の前側筐体壁部２３には、上述の呼気導入孔３０の他に、呼気吹込孔３８が設けられている（図１参照）。この呼気吹込孔３８は、呼気導入孔３０よりも高さ方向上側ＨＡに位置し、筐体２０を貫通すると共に筐体２０内に通じる形態に設けられている。風が強いときなど、呼気導入孔３０に呼気を吹き掛けて呼気センサ１の測定を行うのが難しい場合には、呼気吹込孔３８にストローを差し込んで、呼気を筐体２０内に吹き込んで用いる。
【００３６】
次に、この筐体２０の色及び模様について説明する。図１に示すように、この筐体２０は、高さ方向上側ＨＡ（前述の長手方向一方側に相当する）に位置し、呼気導入孔３０を含む上部２７（前述の第１部に相当する）と、この上部２７よりも高さ方向下側ＨＢ（前述の長手方向他方側に相当する）に位置する下方側部２８（前述の第２部に相当する）に分けられる。これら上部２７及び下方側部２８は、筐体前面（被視認面）２３ｍにおいて、上部２７と下方側部２８とを区別し得る異なる色及び模様とされている。具体的には、本実施形態では、下方側部２８が、上部２７に比して暗色の面積率が大きい模様とされている。
【００３７】
詳細には、この筐体前面（被視認面）２３ｍは、「白色」をベース色としており、筐体前面（被視認面）２３ｍにおいて、上部２７の全体と下方側部２８の大部分は、「白色」に着色されている。
但し、筐体前面（被視認面）２３ｍのうち、下方側部２８に含まれる部位の幅方向右側ＷＥの一部、及び、高さ方向下側ＨＢの一部は、高さ方向ＨＪ及び幅方向ＷＪにそれぞれに延びる帯状で、全体としてＬ字状に暗色の「深緑色」に着色されている。なお、図１において、「深緑色」の部分は、ドットハッチングで示してある。
【００３８】
以上で説明したように、本実施形態の呼気センサ１では、筐体２０に設ける呼気導入孔３０を複数ではなく単一にすると共に、この呼気導入孔３０の厚み方向外側ＴＤを単一の外側テーパ部３１とした上で、呼気導入孔３０の外側開口端縁３０ｄ（外側テーパ部３１の厚み方向外側ＴＤの開口端縁３１ｄ）を楕円状としている。この楕円状の外側開口端縁３０ｄは、見た目が人間の唇の形状に似ているので、楕円状の外側開口端縁３０ｄを有する呼気導入孔３０を、筐体２０のうち呼気を吹き掛けるべき部位であると、使用者に認識させ易い。
【００３９】
加えて、呼気導入孔３０に呼気を吹き掛けるにあたり、呼気センサ１を持って呼気センサ１の姿勢と使用者自身の姿勢とを調整し、楕円状をなす外側開口端縁３０ｄの長径方向（幅方向ＷＪ）が使用者自身の唇の両端を結ぶ方向と一致する姿勢に、呼気センサ１を配置すべきことも、使用者に理解させ易い。
更に、呼気導入孔３０のうち厚み方向外側ＴＤの部位に、外側開口端縁３０ｄが楕円状で厚み方向内側ＴＣに向けて先細りの外側テーパ部３１を設けたことで、この外側テーパ部３１に向けて使用者の吹き掛けた呼気を、呼気導入孔３０内にスムースに受け入れ、筐体２０の内部に導くことができる。
【００４０】
更に、本実施形態の呼気センサ１は、呼気センサ１を立てて、呼気導入孔３０が水平方向を向く姿勢で使用する（使用者は呼気導入孔３０に向けて水平方向に呼気を掛ける）場合に、外側テーパ部３１のうちの下部に、厚み方向内側ＴＣほど高く、厚み方向外側ＴＤほど低い斜面（テーパ面）が存在する。このため、使用者の唾等の水滴が呼気導入孔３０の外側テーパ部３１に付着しても、唾等の水滴は、外側テーパ部３１の下部の斜面（テーパ面）を流れて呼気導入孔３０の外部に排出されるので、唾等の水滴が筐体２０の内部に侵入するのを抑制できる。
【００４１】
また、本実施形態の呼気センサ１では、呼気導入孔３０が設けられた筐体前面２３ｍのうち、呼気導入孔３０の外側開口端縁３０ｄを囲む導入面２３ｍ１が、その周囲の周囲面２３ｍ２よりも、厚み方向外側ＴＤに位置している。このため、この呼気導入孔３０が、その周囲よりも目立って見えるので、この呼気導入孔３０が筐体２０のうち呼気を吹き掛ける部位であることを、より一層、使用者に認識させ易い。
【００４２】
また、本実施形態では、筐体２０は、その筐体前面（被視認面）２３ｍにおいて、上部２７と下方側部２８とを区別し得る異なる色及び模様にされている。このため、筐体２０が直棒状であるにも拘わらず、使用者が呼気センサ１を使用するに際し、呼気導入孔３０に正対した状態で、下方側部２８と上部２７とを区別でき、更にはこの上部２７に含まれる呼気導入孔３０を認識し易い。
【００４３】
特に、筐体前面（被視認面）２３ｍにおいて、下方側部２８は、上部２７に比して暗色の面積率が大きい模様にされている。このため、筐体２０は、実際には直棒状であり、高さ方向ＨＪについて横断面の形状が殆ど変化しないにも拘わらず、筐体前面（被視認面）２３ｍを視認した使用者には、下方側部２８が上部２７よりも細く見える。これにより、呼気センサ１の使用に際し使用者に筐体２０を把持させるにあたり、使用者が細く見える下方側部２８を把持するように誘導できる。
【００４４】
（変形形態１〜８）
次いで、上述した実施形態の呼気センサ１の、８つの変形形態１〜８について説明する（図６〜図２１参照）。これらの変形形態１〜８は、呼気導入孔１１０〜１８０の形態が、それぞれ実施形態に係る呼気導入孔３０の形態と異なるのみであり、それ以外は実施形態と同様である。なお、図６〜図２１において、実施形態と基本的に同様な形態をなす部位には、実施形態と同じ符号を付してある。
【００４５】
変形形態１に係る呼気導入孔１１０（図６及び図７参照）は、第２内側導入部１１５の形態が、実施形態の呼気導入孔３０と異なる。具体的には、実施形態の第２内側導入部３５は、厚み方向ＴＪに断面同形状の１つの円柱孔であった。これに対し、本変形形態１の第２内側導入部１１５は、断面は円形状であるが、厚み方向内側ＴＣに向かうほど先細りとなる円錐台孔からなる。この呼気導入孔１１０も、前述の（Ｂ−３）の形態に属する。
【００４６】
変形形態２に係る呼気導入孔１２０（図８及び図９参照）は、第１内側導入部１２４の形態が、実施形態の呼気導入孔３０と異なる。具体的には、実施形態の第１内側導入部３４は、厚み方向内側ＴＣに向かうほど先細りとなる楕円錐台状の３つの小孔から構成されていた。これに対し、本変形形態２の第１内側導入部１２４は、厚み方向ＴＪに断面同形状の３つの小楕円柱孔から構成されている。この呼気導入孔１２０も、前述の（Ｂ−３）の形態に属する。
【００４７】
変形形態３に係る呼気導入孔１３０（図１０及び図１１参照）は、内側導入部１３３の形態が、実施形態の呼気導入孔３０と異なる。具体的には、実施形態の内側導入部３３は、上述の３つの小孔から構成される第１内側導入部３４と、これとは異なる１つの円柱孔から構成される第２内側導入部３５とを有しており、厚み方向ＴＪに形状が変化する形態であった。これに対し、本変形形態３の内側導入部１３３は、厚み方向ＴＪの全体が断面同形状の３つの小楕円柱孔から構成されている。この呼気導入孔１２０は、前述の（Ｂ−２）の形態に属する。
【００４８】
変形形態４に係る呼気導入孔１４０（図１２及び図１３参照）は、その全体形状が、実施形態の呼気導入孔３０と異なる。具体的には、本変形形態４の呼気導入孔１４０は、その全部が外側テーパ部からなる。このため、呼気導入孔１４０の外側開口端縁１４０ｄは、外側テーパ部の厚み方向外側ＴＤの開口端縁に一致すると共に、呼気導入孔１４０の内側開口端縁１４０ｃは、外側テーパ部の厚み方向内側ＴＣの開口端縁に一致する。この呼気導入孔（外側テーパ部）１４０の外側開口端縁１４０ｄは、実施形態と同様な楕円状とされている。一方、呼気導入孔（外側テーパ部）１４０の内側開口端縁１４０ｃは、円形状とされている。この呼気導入孔１４０は、前述の（Ａ）の形態に属する。
【００４９】
変形形態５に係る呼気導入孔１５０（図１４及び図１５参照）も、その全体形状が、実施形態の呼気導入孔３０と異なる。具体的には、本変形形態５の呼気導入孔１５０は、変形形態４の呼気導入孔１４０と同様に、その全部が楕円状の外側開口端縁１５０ｄを有する外側テーパ部からなる。但し、本変形形態５では、呼気導入孔（外側テーパ部）１５０の内側開口端縁１５０ｃも、幅方向ＷＪに長い楕円状とされ、呼気導入孔（外側テーパ部）１５０が楕円錐台状とされている。このため、この呼気導入孔（外側テーパ部）１５０の見た目が、更に人間の唇に似る。従って、この部位が筐体２０のうち呼気を吹き掛ける部位であることを、更に使用者に認識させ易い。なお、この呼気導入孔１５０は、前述の（Ａ）の形態に属する。
【００５０】
変形形態６に係る呼気導入孔１６０（図１６及び図１７参照）は、内側導入部１６３の形態が、実施形態の呼気導入孔３０と異なる。具体的には、実施形態の内側導入部３３は、厚み方向外側ＴＤの開口端縁３４ｄが、外側テーパ部３１の厚み方向内側ＴＣの開口端縁３１ｃと異なる形状であり、かつ、内側導入部３３が厚み方向ＴＪに形状が変化する形態であった。これに対し、本変形形態６の内側導入部１６３は、自身の厚み方向外側ＴＤの開口端縁１６３ｄが、外側テーパ部３１の厚み方向内側ＴＣの開口端縁３１ｃと同形状であり、かつ、厚み方向ＴＪに断面同形状の１つの円柱孔から構成されている。この呼気導入孔１６０は、前述の（Ｂ−１）の形態に属する。
【００５１】
変形形態７に係る呼気導入孔１７０（図１８及び図１９参照）は、内側導入部１７３の形態が、実施形態の呼気導入孔３０と異なる。具体的には、実施形態の内側導入部３３は、第１内側導入部３４と第２内側導入部３５を有し、厚み方向ＴＪに形状が変化する形態であった。これに対し、本変形形態７の内側導入部１７３は、厚み方向ＴＪに断面同形状の１つの円柱孔から構成されている。この内側導入部１７３の厚み方向外側ＴＤの開口端縁１７３ｄは、外側テーパ部３１の厚み方向内側ＴＣの開口端縁３１ｃとは異なる形状、具体的には、外側テーパ部３１の開口端縁３１ｃよりも径の小さい円形状である。このため、外側テーパ部３１と内側導入部１７３との間には、段部１７２が生じている。この呼気導入孔１７０は、前述の（Ｂ−２）の形態に属する。
【００５２】
変形形態８に係る呼気導入孔１８０（図２０及び図２１参照）は、内側導入部１８３の形態が、実施形態の呼気導入孔３０と異なる。具体的には、実施形態の内側導入部３３は、厚み方向外側ＴＤの開口端縁３４ｄが、外側テーパ部３１の厚み方向内側ＴＣの開口端縁３１ｃと異なる形状であり、かつ、内側導入部３３が厚み方向ＴＪに形状が変化する形態であった。これに対し、本変形形態８の内側導入部１８３は、自身の厚み方向外側ＴＤの開口端縁１８３ｄが、外側テーパ部３１の厚み方向内側ＴＣの開口端縁３１ｃと同形状であり、かつ、厚み方向内側ＴＣに向かうほど先太りとなる円錐台孔からなる。この呼気導入孔１８０は、前述の（Ｂ−３）の形態に属する。
【００５３】
以上で説明した変形形態１〜８においても、筐体２０に設ける呼気導入孔１１０〜１８０を単一にすると共に、これらの呼気導入孔１１０〜１８０の厚み方向外側ＴＤの一部または全部を単一の外側テーパ部３１，１４０，１５０とした上で、呼気導入孔１１０〜１８０の外側開口端縁３０ｄ，１４０ｄ，１５０ｄを楕円状としている。これら楕円状の外側開口端縁３０ｄ，１４０ｄ，１５０ｄも、見た目が人間の唇の形状に似ているので、楕円状の外側開口端縁３０ｄ，１４０ｄ，１５０ｄを有する呼気導入孔１１０〜１８０を、筐体２０のうち呼気を吹き掛けるべき部位であると、使用者に認識させ易い。その他、実施形態と同様な部分は、実施形態と同様な作用効果を有する。
【００５４】
（変形形態９〜１１）
次いで、前述した実施形態の３つの変形形態９〜１１について説明する（図２２〜図２４参照）。これらの変形形態９〜１１では、筐体２０のうち筐体前面（被視認面）１９３ｍ，２０３ｍ，２１３ｍの色及び模様が、それぞれ実施形態に係る筐体前面（被視認面）２３ｍの色及び模様と異なるのみであり、それ以外は実施形態と同様である。なお、図２２〜図２４において、実施形態と基本的に同様な形態をなす部位には、実施形態と同じ符号を付す。
【００５５】
変形形態９に係る呼気センサ１の上部２７及び下方側部２８は、筐体前面（被視認面）１９３ｍ（図２２参照）において、上部２７と下方側部２８とを区別し得る異なる色、具体的には、下方側部２８が上部２７に比して暗色にされている。詳細には、この筐体前面（被視認面）１９３ｍのうち、上部２７の全体が「白色」に着色され、下方側部２８の全体が暗色の「深緑色」に着色されている。
【００５６】
また、変形形態１０に係る呼気センサ１の上部２７及び下方側部２８も、筐体前面（被視認面）２０３ｍ（図２３参照）において、上部２７と下方側部２８とを区別し得る異なる色及び模様、具体的には、下方側部２８が、上部２７に比して暗色の面積率が大きい模様にされている。詳細には、この筐体前面（被視認面）２０３ｍは、「白色」をベース色とされている。そして、上部２７のうち、幅方向右側ＷＥの一部は、高さ方向ＨＪに延び、高さ方向上側ＨＡほど太くなる帯状に「深緑色」に着色されている。一方、下方側部２８のうち、幅方向右側ＷＥの一部は、高さ方向ＨＪに延び、高さ方向下側ＨＢほど太くなる帯状に「深緑色」に着色されている。また、下方側部２８のうち、高さ方向下側ＨＢの一部も、実施形態と同様に、幅方向ＷＪに延びる帯状に「深緑色」に着色されている。このように下方側部２８では、暗色である「深緑色」の部分の面積率が、上部２７よりも大きくなっている。
【００５７】
また、変形形態１１に係る呼気センサ１の上部２７及び下方側部２８も、筐体前面（被視認面）２１３ｍ（図２４参照）において、上部２７と下方側部２８とを区別し得る異なる色及び模様、具体的には、上部２７が、下方側部２８に比して明色の面積率が大きい模様にされている。詳細には、筐体前面（被視認面）２３ｍのうち、上部２７の大部分は「白色」であるが、上部２７の幅方向右側ＷＥの一部は、高さ方向ＨＪに延びる帯状に「深緑色」に着色されている。一方、筐体前面（被視認面）２３ｍのうち下方側部２８は、その全体が「深緑色」に着色されている。このように上部２７では、明色である「白色」の部分の面積率が、下方側部２８よりも大きくなっている。
【００５８】
以上で説明した変形形態９〜１１においても、筐体２０の筐体前面（被視認面）１９３ｍ，２０３ｍ，２１３ｍにおいて、上部２７と下方側部２８とを区別し得る異なる色及び模様にされている。このため、筐体２０が直棒状であるにも拘わらず、使用者が呼気センサ１を使用するに際し、呼気導入孔３０に正対した状態で、下方側部２８と上部２７とを区別でき、更にはこの上部２７に含まれる呼気導入孔３０を認識し易い。
【００５９】
特に、変形形態９の筐体前面（被視認面）１９３ｍにおいては、下方側部２８が上部２７に比して暗色にされている。また、変形形態１０の筐体前面（被視認面）２０３ｍにおいては、下方側部２８が、上部２７に比して暗色の面積率が大きい模様にされている。また、変形形態１１の筐体前面（被視認面）２１３ｍにおいては、上部２７が、下方側部２８に比して明色の面積率が大きい模様にされている。このため、筐体２０は、実際には直棒状であり、高さ方向ＨＪについて横断面の形状が殆ど変化しないにも拘わらず、筐体前面（被視認面）１９３ｍ，２０３ｍ，２１３ｍを視認した使用者には、下方側部２８が上部２７よりも細く見える。これにより、呼気センサ１の使用に際し使用者に筐体２０を把持させるにあたり、使用者が細く見える下方側部２８を把持するように誘導できる。その他、実施形態と同様な部分は、実施形態と同様な作用効果を有する。
【００６０】
以上において、本発明を実施形態及び変形形態１〜１１に即して説明したが、本発明は上述の実施形態等に限定されるものではなく、その要旨を逸脱しない範囲で、適宜変更して適用できることは言うまでもない。
例えば、実施形態等の外側テーパ部３１，１４０，１５０では、厚み方向外側ＴＤの楕円状をなす開口端縁３１ｄ，１４０ｄ，１５０ｄの中心と、厚み方向内側ＴＣの円状または楕円状をなす開口端縁３１ｃ，１４０ｃ，１５０ｃの中心の位置とが、それぞれ正面から見て一致する形態としたが、これに限られない。
【００６１】
外側テーパ部について、厚み方向外側ＴＤの楕円状をなす開口端縁の中心と、厚み方向内側ＴＣの円状、楕円状等をなす開口端縁の中心の位置とが、正面から見てずれた位置にある形態とすることもできる。但し、この場合でも、呼気導入孔を水平方向に向けた姿勢で呼気センサを使用するときに、外側テーパ部のうちの下部に、厚み方向内側ＴＣほど高く、厚み方向外側ＴＤほど低い斜面（テーパ面）が存在する形態とするのが好ましい。外側テーパ部をこのような形態とすることで、前述のように、使用者の唾等の水滴が外側テーパ部に付着しても、唾等の水滴は、外側テーパ部の下部の斜面（テーパ面）を流れて呼気導入孔の外部に排出され易くなるからである。
【符号の説明】
【００６２】
１  呼気センサ
１０  ガスセンサ素子
２０  筐体
２３  前側筐体壁部
２３ｍ，１９３ｍ，２０３ｍ，２１３ｍ  筐体前面（被視認面）
２３ｍ１  導入面
２３ｍ２  周囲面
２７  上部（第１部）
２８  下方側部（第２部）
３０，１１０，１２０，１３０，１６０，１７０，１８０  呼気導入孔
１４０，１５０  呼気導入孔（外側テーパ部）
３０ｃ，１４０ｃ，１５０ｃ  内側開口端縁
３０ｄ，１４０ｄ，１５０ｄ  外側開口端縁
３１  外側テーパ部
３１ｃ  （外側テーパ部の厚み方向内側の）開口端縁
３１ｄ  （外側テーパ部の厚み方向外側の）開口端縁
３３，１３３，１６３，１７３，１８３  内側導入部
ａ  長径
ｂ  短径
ＨＪ  高さ方向（長手方向）
ＨＡ  高さ方向上側（長手方向一方側）
ＨＢ  高さ方向下側（長手方向他方側）
ＷＪ  幅方向（第１方向）
ＴＪ  厚み方向
ＴＣ  厚み方向内側
ＴＤ  厚み方向外側
【図１】
2015099093.tif 000003
【図２】
2015099093.tif 000004
【図３】
2015099093.tif 000005
【図４】
2015099093.tif 000006
【図５】
2015099093.tif 000007
【図６】
2015099093.tif 000008
【図７】
2015099093.tif 000009
【図８】
2015099093.tif 000010
【図９】
2015099093.tif 000011
【図１０】
2015099093.tif 000012
【図１１】
2015099093.tif 000013
【図１２】
2015099093.tif 000014
【図１３】
2015099093.tif 000015
【図１４】
2015099093.tif 000016
【図１５】
2015099093.tif 000017
【図１６】
2015099093.tif 000018
【図１７】
2015099093.tif 000019
【図１８】
2015099093.tif 000020
【図１９】
2015099093.tif 000021
【図２０】
2015099093.tif 000022
【図２１】
2015099093.tif 000023
【図２２】
2015099093.tif 000024
【図２３】
2015099093.tif 000025
【図２４】
2015099093.tif 000026